(57)【要約】【課題】音声データ毎の音量レベルを自動的に均一に調節し、曲が変わる度に音量調節を行うことなく好適な音声再生を行う。【解決手段】  データ転送装置から該データ転送装置と別体に設けられた再生装置に音声データを転送し、この音声データの再生を行う再生システムであって、このデータ転送装置は、転送を行う音声データの録音レベルを検出する録音レベル検出手段と、この録音レベルと所定の基準レベルとを比較する比較手段と、この比較手段の比較の結果として両レベルの差分を示すレベル差分情報を生成するレベル差分検出手段と、このレベル差分情報と前記音声データとを転送する転送手段とを備え、再生装置は、このレベル差分情報に基づいて音声データの出力レベルを所定の基準レベルに調節する音声出力調節手段と、この音声出力調節手段により調節された出力レベルで音声データを再生する再生手段とを備える。【選択図】図４
2007180799.tif 000002
【特許請求の範囲】
【請求項１】
音声データを他の電子機器に転送する際、転送を行う音声データの録音レベルを検出する録音レベル検出手段と、
該録音レベルと所定の基準レベルとを比較する比較手段と、
該比較手段の比較の結果として、前記録音レベルと前記所定の基準レベルとのレベルの差分を示すレベル差分情報を生成するレベル差分検出手段と、
前記レベル差分情報と前記音声データとを前記他の電子機器に転送する転送手段とを備えることを特徴とするデータ転送装置。
【請求項２】
転送された音声データ及び該音声データの録音レベルと所定の基準レベルとの差分を示すレベル差分情報を受信する受信手段と、
前記レベル差分情報に基づいて前記音声データの出力レベルを前記所定の基準レベルに調節する音声出力調節手段と、
前記音声出力調節手段により調節された出力レベルで前記音声データを再生する再生手段とを備えることを特徴とする再生装置。
【請求項３】
データ転送装置から該データ転送装置と別体に設けられた再生装置に音声データを転送し、音声データの再生を行う再生システムであって、
前記データ転送装置は、
転送を行う前記音声データの録音レベルを検出する録音レベル検出手段と、
該録音レベルと所定の基準レベルとを比較する比較手段と、
該比較手段の比較の結果として、前記録音レベルと前記所定の基準レベルとの差分を示すレベル差分情報を生成するレベル差分検出手段と、
前記レベル差分情報と前記音声データとを転送する転送手段とを備え、
前記再生装置は、
前記レベル差分情報に基づいて前記音声データの出力レベルを前記所定の基準レベルに調節する音声出力調節手段と、
前記音声出力調節手段により調節された出力レベルで前記音声データを再生する再生手段と、を備えることを特徴とする再生システム。
【請求項４】
音声データを他の電子機器に転送する際、転送を行う音声データの録音レベルを検出するステップと、
前記録音レベルと所定の基準レベルとを比較するステップと、
該比較の結果として、前記録音レベルと前記所定の基準レベルとの差分を示すレベル差分情報を生成するステップと、
前記レベル差分情報と前記音声データとを前記他の電子機器に転送するステップとを含むことを特徴とするデータ転送方法。
【請求項５】
転送された音声データ及び該音声データの録音レベルと所定の基準レベルとのレベル差分を示すレベル差分情報を受信するステップと、
前記レベル差分情報に基づいて前記音声データの出力レベルを前記所定の基準レベルに調節するステップと、
前記所定の基準レベルに調節された出力レベルで前記音声データを再生するステップとを含むことを特徴とする再生方法。
【請求項６】
音声データを他の電子機器に転送するデータ転送装置を制御するコンピュータに、
前記音声データを前記他の機器に転送する際、転送を行う音声データの録音レベルを検出する機能と、
前記録音レベルと所定の基準レベルとを比較する機能と、
該比較の結果として、前記録音レベルと前記所定の基準レベルとのレベルの差分示すレベル差分情報を生成する機能と、
前記レベル差分情報と前記音声データとを前記他の電子機器に転送する機能とを実現することを特徴とするプログラム。
【請求項７】
転送された音声データの再生を制御するコンピュータに、
転送された音声データ及び該音声データの録音レベルと所定の基準レベルとの差分を示すレベル差分情報を受信する機能と、
前記レベル差分情報に基づいて前記音声データの出力レベルを前記所定の基準レベルに調節する機能と、
前記所定の基準レベルに調節された出力レベルで前記音声データを再生する機能とを含むことを特徴とするプログラム。
【発明の詳細な説明】
【技術分野】
【０００１】
本発明はデータ転送装置、再生装置、再生システム、データ転送方法、再生方法及びプログラムに係り、特に、音声データ毎に異なる録音レベルに左右されずに均一の出力レベルでの音声再生を行うデータ転送装置、再生装置、再生システム、データ転送方法、再生方法及びプログラムに関する。
【背景技術】
【０００２】
近年、ハードディスクやフラッシュメモリに音楽等の音声データを記憶して音声の記録や再生を行う携帯型の音声記録再生装置が急速に普及している。小型、軽量且つ大記憶容量であり、音楽等の再生のみならずその整理や保管にも便利である。
音声データの取得は、例えば、民生用のＰＣ（Personal Computer）等を使用して行う。ＰＣの内部メモリに、ＣＤ−ＤＡ等の外部記録媒体からリッピング（音声データの読み出し）した音声データやインターネット等のネットワークを介して音楽配信サーバからダウンロードした音声データを記録し、この音声データをＵＳＢ（Universal Serial Bus）ケーブル等を介して携帯型記録再生装置のハードディスク等に転送することにより行われる。
【０００３】
このように携帯型記録再生装置に転送された音声データはＰＣ等を介して外部記録媒体やオンライン環境から取得されるものである。これらの音声データの録音レベルは必ずしも均衡が取れていないという問題がある。更に、ＰＣ等の内部メモリは膨大な量の音声データを蓄積することができる。このためユーザが過去に磁気テープ等の磁性型記録媒体やＣＤ−Ｒ、ＭＤ（Mini Disc:登録商標）及びＤＶＤ（Digital Versatile Disc）等の光学式記録媒体に蓄積してきた音声データをＰＣの内部メモリに一括して記録している場合も多い。携帯型記録再生装置は、上述のように大容量の記録媒体を備えるため、これらＰＣに蓄積された大量の音声データを全て記録し、再生することも可能である。このような長い時間をかけて蓄積してきた音声データは、音声データの録音を行った当時のハードウェア、ソフトウェア及び編集者の嗜好等による人的及び時代的な背景により録音データに大きな差がでる傾向にある。
【０００４】
再生音の音量を調節するには、音声データ間の再生レベル差分を無くす必要がある。再生音を調節する技術として、特許文献１には、フラッシュＲＯＭを記憶媒体に備えた携帯用オーディオ装置に音声データを転送するパーソナルコンピュータを用いた音響特性（音質）調節方法であって、音声データの音響特性（高音域、中音域及び低音域）のレベルを設定するイコライザ設定手段を備え、携帯オーディオ装置に転送する音声データの音響特性をパーソナルコンピュータ上で調節できるように構成し、調節後の音響特性情報と音声データとを携帯オーディオ装置に転送し、携帯用オーディオ装置側ではこの音響特性情報に基づいて周波数毎のゲイン調節を行って音声を再生する音響特性調節方法の発明が開示されている。
【特許文献１】特開２０００−７７９６０号公報
【発明の開示】
【発明が解決しようとする課題】
【０００５】
しかしながら、特許文献１に記載の発明は、あくまで曲の音響特性を調節するにすぎず、音量の調節を行う技術とは異なる。更に、特許文献１に記載の発明を音量調節機構として適用してもユーザ自身によって１つ１つの音声データの音量レベルを設定する必要がある。
したがって特許文献１に記載の発明は、ユーザの嗜好に合う音響特性を設定して特定の音楽を楽しむ用途に活用できるにすぎず、携帯型記録再生装置に大量の音声データを転送する場合には大変な手間がかかり実用的でない。特に、ＰＣ操作を不得意とするユーザには、曲が変わるごとに変化する再生音量の均一化を図る上でほとんど意味をなさない。
【０００６】
本発明の課題は、音声データ毎の音量レベルを自動的に均一に調節し、曲が変わる度に音量調節を行うことなく好適な音声再生を行うことである。
【課題を解決するための手段】
【０００７】
上記課題を解決するために、請求項１に記載の発明は、データ転送装置であって、
音声データを他の電子機器に転送する際、転送を行う音声データの録音レベルを検出する録音レベル検出手段と、
該録音レベルと所定の基準レベルとを比較する比較手段と、
該比較手段の比較の結果として、前記録音レベルと前記所定の基準レベルとのレベルの差分を示すレベル差分情報を生成するレベル差分検出手段と、
前記レベル差分情報と前記音声データとを前記他の電子機器に転送する転送手段とを備えることを特徴とする。
【０００８】
請求項２に記載の発明は、再生装置であって、転送された音声データ及び該音声データの録音レベルと所定の基準レベルとの差分を示すレベル差分情報を受信する受信手段と、
前記レベル差分情報に基づいて前記音声データの出力レベルを前記所定の基準レベルに調節する音声出力調節手段と、
前記音声出力調節手段により調節された出力レベルで前記音声データを再生する再生手段とを備えることを特徴とする。
【０００９】
請求項３に記載の発明は、データ転送装置から該データ転送装置と別体に設けられた再生装置に音声データを転送し、音声データの再生を行う再生システムであって、
前記データ転送装置は、
転送を行う前記音声データの録音レベルを検出する録音レベル検出手段と、
該録音レベルと所定の基準レベルとを比較する比較手段と、
該比較手段の比較の結果として、前記録音レベルと前記所定の基準レベルとの差分を示すレベル差分情報を生成するレベル差分検出手段と、
前記レベル差分情報と前記音声データとを転送する転送手段とを備え、
前記再生装置は、
前記レベル差分情報に基づいて前記音声データの出力レベルを前記所定の基準レベルに調節する音声出力調節手段と、
前記音声出力調節手段により調節された出力レベルで前記音声データを再生する再生手段と、を備えることを特徴とする。
【００１０】
請求項４に記載の発明は、データ転送方法であって、
音声データを他の電子機器に転送する際、転送を行う音声データの録音レベルを検出するステップと、
前記録音レベルと所定の基準レベルとを比較するするステップと、
該比較の結果、前記録音レベルと前記所定の基準レベルが一致しない場合、前記録音レベルと前記所定の基準レベルとの差分を示すレベル差分情報を生成するステップと、
前記レベル差分情報と前記音声データとを前記他の電子機器に転送するステップとを含むことを特徴とする。
【００１１】
請求項５に記載の発明は、再生方法であって、転送された音声データ及び該音声データの録音レベルと所定の基準レベルとのレベル差分を示すレベル差分情報を受信するステップと、
前記レベル差分情報に基づいて前記音声データの出力レベルを前記所定の基準レベルに調節するステップと、
前記所定の基準レベルに調節された出力レベルで前記音声データを再生するステップとを含むことを特徴とする。
【００１２】
請求項６に記載の発明は、プログラムであって、音声データを他の電子機器に転送するデータ転送装置を制御するコンピュータに、
前記音声データを前記他の機器に転送する際、転送を行う音声データの録音レベルを検出する機能と、
前記録音レベルと所定の基準レベルとを比較する機能と、
該比較の結果として前記録音レベルと前記所定の基準レベルとのレベルの差分示すレベル差分情報を生成する機能と、
前記レベル差分情報と前記音声データとを前記他の電子機器に転送する機能とを実現することを特徴とする。
【００１３】
請求項７に記載の発明は、プログラムであって、転送された音声データの再生を制御するコンピュータに、
転送された音声データ及び該音声データの録音レベルと所定の基準レベルとの差分を示すレベル差分情報を受信する機能と、
前記レベル差分情報に基づいて前記音声データの出力レベルを前記所定の基準レベルに調節する機能と、
前記所定の基準レベルに調節された出力レベルで前記音声データを再生する機能とを含むことを特徴とする。
【発明の効果】
【００１４】
本発明によれば、録音レベルの異なる音声データの音量レベルを自動的に均一化することができ、曲が変わるごとに音量を調節する手間が省け好適な音声再生を行うことができる。また、自動的に音量レベルの均一化を調整するため、ＰＣ操作に不慣れであっても手軽に音量レベルが均一化された音声データを連続して聴くことができる。
【００１５】
特に、音声データの転送を行う際に、録音レベルと基準レベルとの差分を示すレベル差分情報を生成し、このレベル差分情報と音声データとを記録再生装置に転送する構成をとるため、データ転送装置（例えば、ＰＣ等）の内部記録媒体に、オリジナルの録音レベルで取得した音声データを保存し続けることができる。この点、ＣＤ−ＤＡ７１等の外部記録媒体からデータ転送装置（例えば、ＰＣ等）にリッピングを行ったり、ネットワークを介してダウンロードを行ったりする際に音量レベルの均一化処理を行いＰＣ１の記録媒体８に保存する技術と異なり、オリジナルの録音レベル状態の音声データを保存しつつ、音声の出力レベルを均一化して再生することのできるレベル差分情報を記録再生装置に転送することができるという効果がある。
【発明を実施するための最良の形態】
【００１６】
次に、図を用いて本発明を実施するための最良の形態について説明する。図１に、本発明を適用したデータ転送装置としてのＰＣ１と、音声記録再生装置としてのポータブル記録再生装置１１とから構成される音声記録再生システムの概要構成を示す。ＰＣ１は、ＬＡＮ（Local Area Network）、ＭＡＮ（Metroporitan Area Network）、ＷＡＮ（Wide Area Network）又はインターネット等のネットワーク網を介して音楽配信サーバ７３から音声データをダウンロードできる。なお、ＧＳＭ（Global System for Mobile communication）、ＧＰＲＳ（General Packet Radio System:汎用パケット通信システム）、ＰＤＣ（Personal Digital Cellular）、ＣＤＭＡ（Code Division Multiple Access）、ＰＨＳ（Personal Handyphone System）、Bluetooth（登録商標）及び無線ＬＡＮ等の各種方式の無線通信手段を介してダウンロードする構成としてもよい。また、ＣＤ−ＤＡ等の外部記録媒体から音声データをリッピングして取得することもできる。
【００１７】
ポータブル記録再生装置１１はＵＳＢ（Universal Serial Bus）ケーブル７０を介してＰＣ１と接続され、データ転送アプリケーションプログラムによりＰＣ１から転送される音声データを受信する。受信した音声データは、ハードディスク等からなる記録媒体に記録され、ユーザが操作部１５を操作することでイヤホン２７Ｒ及び２７Ｌから再生音を出力する。
【００１８】
図２は、ＰＣ１の機能的構成を示すブロックである。ＰＣ１は、制御部２、ＲＯＭ３、ＲＡＭ４、記録媒体８、ネットワークＩ／Ｆ５、表示部９、操作部１０、外部記録媒体入力部７及びポータブル記録再生装置用Ｉ／Ｆ６から構成され、これらがメインバス１７により電気・電子的に接続される。
【００１９】
制御部２は、ＣＰＵ（Central Processing Unit）やＭＰＵ（Micro Processing Unit）等の演算装置から構成され、ＰＣ１の全体制御を行う。不揮発性メモリであるＲＯＭ（Read Only Memory）３やハードディスク等から構成される記録媒体８に予め記憶されたオペレーションプログラムやアプリケーションプログラムを読み出し、ワークエリアとしてのＲＡＭ（Random Access Memory）４に展開してこれら各種プログラムの指示に従い各種演算やデータ処理を行う。音声データ等をポータブル記録再生装置１１に転送する転送アプリケーションプログラム及び後述する音声データ転送時に各音声データの音量レベルの均一化を図る音量レベル調節プログラムもＲＯＭ３乃至は記録媒体８に格納される。
【００２０】
ネットワークＩ／Ｆ５は、ＮＩＣ（Network Inter Face）等から構成され、所定の通信規約に適応したデータ伝送方式で音楽配信サーバ７３と通信し、制御部２の制御信号に基づいて音声データのダウンロードを行う。外部記録媒体入力部７は、ＣＤドライブやＤＶＤドライブ等の光学式読取装置から構成される。リップングソフトウェアプログラム等により、外部記録媒体入力部７から音声データをリッピングし、ＷＡＶＥ形式のデータ形式あるいはＭＰ３やＷＭＡ等の圧縮音声データ形式の音声データを生成し、記録媒体８に記録する。
【００２１】
記録媒体８は、ハードディスクやＥＥＰＲＯＭ（Electrically Erasable Programmable ROM）等の不揮発性の半導体メモリから構成される。ＣＤ−ＤＡ７１等からリッピングしたり、音楽配信サーバ７３からダウンロードを行った音声データを格納する。格納に際しては、アルバム、アーティスト及び音楽ジャンル等のカテゴリ毎にフォルダを設け、各フォルダに音声データファイルを格納する。これらフォルダ等のカテゴリはユーザの嗜好により自由に設定することができる。
【００２２】
ここで、音量レベル調節プログラムについて説明する。音量レベル調節プログラムは、制御部２等との協働によりポータブル記録再生装置１１に音声データを転送する際、転送する音声データから記録音量レベルを検出して所定の基準音量レベルとの差分を算出し、音声データのヘッダ部（例えば、ヘッダ部の「コメント」欄）に音量レベルリファレンス情報として記録するソフトウェアである。より具体的には、転送を行う音声データを記録媒体８から読み出し、この音声データから所定のサンプリング周期（例えば、１００ｍｓ〜１ｓ）毎に音声データの記録音量のピーク値を検出する。次いで、検出したピーク値から平均値を求める。平均値の算出方法は種々考えられるが、１つの音声データ内の最大ピーク値と最小ピーク値とを加算して２で除する方法としても良いし、音声データ内の全てのピーク値を加算して加算したピーク値の数で除する方法でもよい。この様にして算出された音量レベルの平均値と所定の基準レベル値との差分を算出し、この差分を示す差分情報を音声データのヘッダ部に記録する。
【００２３】
ポータブル記録再生装置用Ｉ／Ｆ６はＵＳＢ規格のＩ／Ｆを適用し、ＵＳＢケーブル７０を介してポータブル記録再生装置１１と接続される。制御部２からの制御指示信号に基づいて、音量レベル調節プログラムにより基準レベルとの差分を示す音量レベルリファレンス情報が記録された音声データがポータブル記録再生装置１１に転送される。
【００２４】
操作部１０は、キーボード、テンキー及びマウス等から構成されるユーザインターフェースであり、ユーザは音声データの転送時に操作部１０を介して各種の制御指示信号の入力を行う。また、表示部９にタッチパネルを適用し操作部１０と表示部９とを一体に構成してもよい。
【００２５】
次に、図３を用いてポータブル記録再生装置１１の構成を説明する。ポータブル記録再生装置１１は、制御ユニット１２、記憶媒体１３、表示部１４、外部Ｉ／Ｆ１６及び操作部１５から構成され、ＰＣ１から転送入力される音声データ及び画像データを記録及び再生することができるものである。
【００２６】
制御ユニット１２は、ＣＰＵ２０、ＲＯＭ２１、ＲＡＭ２２、音声処理部２３、アンプ部２４、割込みコントローラ２５から構成される。
ＣＰＵ２０は、記憶媒体１３及び／又はＲＯＭ２１に予め記憶されたオペレーションプログラム及び音声／画像再生アプリケーションプログラムを読み出し、ワークエリアとしてのＲＡＭ２２に展開し全体制御を行う。また、ＵＳＢ規格を採用する外部Ｉ／Ｆ１６にＵＳＢケーブル７０が接続され通電状態を検出すると、ＲＯＭ２１又は記憶媒体１３に記憶された「転送データ受信アプリケーションソフトウェア（又はＵＳＢドライバ）」をＲＡＭ２２に展開して、ＰＣ１から転送される音声データ及び画像データを受信し記憶媒体１３に記憶する。
【００２７】
記憶媒体１３は、ハードディスク等の電気的・磁気的なメモリやＥＥＰＲＯＭ（Electrical Erasable Programmable ROM）等の不揮発の半導体メモリから構成される。記憶媒体１３に記録することができ且つＣＰＵ２０及び音声再生アプリケーションプログラムで再生処理可能なファイル形式は適宜設定可能であるが、本実施の形態では、ＷＡＶＥ形式や、ＭＰ３やＷＭＡ等の圧縮音声データ形式にも対応するように構成されている。
また、データの記憶容量は適用する記憶媒体により任意に設定可能である（例えば、最大で２０ギガバイト又はそれ以上。音声データで換算すると、１曲が４分の曲をＷＭＡ（Windows（登録商標） Media Audio）形式（６４ｋｂｐｓ）で記憶した場合、１００００曲又はそれ以上の音声データを収録することができる構成としている）。
記録された音声データ及びこれに関連する画像データは、音声データはアルバム、アーティスト及び／又は音楽ジャンル等のカテゴリ毎に分類されたフォルダに格納されている。
【００２８】
音声処理部２３は、音源ＬＳＩ（Large Scale Integration）等の音源装置から構成される。ＣＰＵ２０の制御指示信号に基づき、ＣＰＵ２０から出力される音声データ乃至は記憶媒体１３からＤＭＡ転送される音声データのデジタル音声再生処理を行う。その後、Ｄ／Ａ変換器（不図示）を介しアナログ音声信号を生成してアンプ部２４に出力する。アンプ部２４はＣＰＵ２０の指示信号に基づいてアナログ音声信号のゲイン調節を行う。このときＣＰＵ２０は、音声データのヘッダ部から音量リファレンス情報を読み出し、現在の音量レベルに差分の音量レベルを加える（あるいは減じる）ゲイン調整を行う制御指示信号をアンプ部２４に送信する。アンプ部２４は、差分を加える（あるいは減じる）増幅調節を行い、音声処理部２３から出力されたアナログ音声信号を増幅してイヤホン２７Ｌ及び２７Ｒから再生音の出力を行う。
【００２９】
割込みコントローラ２５は、操作部１５から信号が入力されると割込み信号を生成しＣＰＵ２０に出力する。操作部１５から入力される制御指示信号は、例えば、ボリュームアップ、ボリュームダウン、電源のＯＮ／ＯＦＦ、各種アプリケーションの起動を指示するメニュー選択信号、各種アプリケーションの表示部１４上での操作に伴うカーソルの移動／選択等である。
また、操作部１５から入力される信号は図示しないＡ／Ｄコンバータを介してデジタイズされ、ＲＯＭ２１に入力される。ＲＯＭ２１には、デジタイズされた入力信号に対応する操作信号テーブルが予め記憶されており、ＣＰＵ２０は、割込みコントローラ２５から出力された割込み信号を検出すると、操作信号テーブルを参照し、入力された信号に対する各部への指示制御を行う。
【００３０】
表示部１４は、ＴＦＴ（Thin film Transistor）液晶素子や有機ＥＬ（Electro Luminescence）素子を用いたＦＰＤ（Flat Panel Display）から構成される。起動画面、再生する音声データの選択及び各種機能設定時の案内の表示を行うとともに、音声データ再生中にその音声データに関連する画像データの表示を行う。
【００３１】
ポータブル記録再生装置１１のユーザインターフェースとしての操作部１５は、電源／メニューキー３０、ボリュームアップ（以下、「Ｖｏｌ.ＵＰ」とする。）キー３６、ボリュームダウン（以下、「Ｖｏｌ.ＤＯＷＮ」という。）キー３７及び決定キー３５並びに上キー３１、左キー３２、下キー３３、右キー３４から構成される十字キーが設けられる。これらキーは、文字通り音量の上げ下げ、電源のＯＮ／ＯＦＦ、各種メニュー選択、選択の決定、表示画面上での各種設定操作におけるカーソルの移動等の操作信号を出力するものである。特に上キー３１、左キー３２、下キー３３及び右キー３４は、二重タクトキー等の多段スイッチから構成されており、音声データ再生時に半押しをすることで曲のスキップ、全押しでトラックのジャンプ等の入力ができるように構成されている。ポータブル記録再生装置の携帯性に鑑み、片手で操作しやすい構成とされている。なお、タッチパネルを適用し表示部１４と一体に構成することも当然に可能であるし、操作部の表面端部近傍にＬＥＤ（Light Emitting Diode）発光部とその受光部を対向して設け、指が操作部表面で所定の方向を撫でることにより遮光された赤外線の座標を演算して操作指示信号に変換する構成としてもよいし、ＬＥＤに代えて電磁作用を利用した静電基板を適用する構成としてもよい。
【００３２】
次に、本発明を適用したＰＣ１の音量レベル調節処理について、図４に示すフロー図を用いて説明する。以下の処理は、音量レベル調節プログラム等の指示に基づいてＰＣ１の制御部２により処理が行われる。なお、ＰＣ１の記録媒体８には、ネットワーク７２や外部記録媒体入力部７を通じて既に音声データが記録されているものとする。
【００３３】
ＰＣ１上で、ユーザがデータ転送アプリケーションソフトウェアプログラムを起動すると、制御部２は表示部９に、図６に示すようなデータ転送編集ウィンドウ４０を表示する。ユーザが、音声データを格納する各フォルダをツリー構造で示すツリーリスト４１から転送を所望する音声データファイルを格納するアーティストＡフォルダ４６を選択すると（マウス等の操作によりポインタ４４を使用して選択する）、格納される全ての音声データファイルを表示するファイルリスト４２に一覧表示を行う。ユーザは、ファイルリスト４２上に表示された各音声データに設けられたチェックボックス４７にチェックを入れて転送を所望する音声データを指定する。その後、転送開始ボタン４３をクリックすると、制御部２が制御指示信号を受信し音量レベル調節プログラムを起動する（ステップＳ１０１）。
なお、音量レベル調節プログラムをデータ転送アプリケーションプログラムのオプションとして構成し、ユーザが任意に音量調節プログラムを起動するか否かを設定する構成とすることも当然にできる。
【００３４】
制御部２は、ステップＳ１０１で転送を指定された音声データを記録媒体８から読み出し、ＲＡＭ４に展開する（ステップＳ１０２）。次いで、音声データを所定のサンプリング周波数（例えば、１００ｍｎ〜１ｓ）毎に記録音量のピーク値を検出する（ステップＳ１０３）。より詳細には、二値化された各デジタル音声データから、レベル値が最も大きい値と最も小さい値をピーク値として検出する。
【００３５】
ステップＳ１０３で検出したピーク値の最大値と最小値を加算して２で除算し、ピーク値の平均値を算出する（ステップＳ１０４）。なお、ステップＳ１０３で全てのピーク値を検出し、ステップＳ１０４でこのピーク値全てを加算し、全ピーク値の数で除算する演算方法を用いてもよい。
次いで、予め記録された基準音量ピークレベルデータを記録媒体８から読み出し、ステップＳ１０４で算出したピーク値の平均値との差分を検出する（ステップＳ１０５）。
【００３６】
ステップＳ１０５で検出した差分から音量レベルリファレンス情報を生成し、音声データのヘッダ部（例えば、「コメント」欄等）に記録を行う（ステップＳ１０５）。その後、制御部２は、ポータブル記録再生装置１１に音声データを転送する（ステップＳ１０６）。その後、ポータブル記録再生装置１１の記憶媒体１３に、音量レベル調節処理が施された音声データ（音声データと、ヘッダ部に音量レベルリファレンス情報とを有する音声データ）のファイルを生成し格納する（ステップＳ１０７）。
転送を指定された音声データが以上である場合は（ステップＳ１０８：ＹＥＳ）、音量レベル調節処理を終了し、音声データの転送処理を終了する。他に処理をする音声データがある場合には（ステップＳ１０８：ＮＯ）、ステップＳ１０２に戻る。
【００３７】
次に、以上述べた音量レベル調節処理が施された音声データが記録されたポータブル記録再生装置１１で行われる音声レベルリファレンス処理について、図５に示すフロー図を用いて説明する。なお、音声レベルリファレンス処理はプログラムの指示に従い、ポータブル記録再生装置１１のＣＰＵ２０により処理が行われる。
【００３８】
ユーザがポータブル記録再生装置１１を起動すると、ＣＰＵ２０は表示部１４に再生可能とする音声データファイルを格納するフォルダの一覧を表示する。ユーザが操作部１５を操作し、再生を所望ずるフォルダを選択すると音声再生処理が開始され、同時に音声レベルリファレンスプログラムが起動する（ステップＳ２０１）。
なお、音声レベルリファレンスプログラムの起動を、ユーザの任意に設定する構成とすることも当然にできる。
【００３９】
ＣＰＵ２０は、記憶媒体１３から音声データファイルを読み出しＲＡＭ２２に展開する（ステップＳ２０２）。次いで、ヘッダ部を参照し（ステップＳ２０３）、音声レベルリファレンス情報が記録されているか否かを判断する（ステップＳ２０４）。ステップＳ２０４にて、音声レベルリファレンス情報が記録されている場合（ステップＳ２０４：ＹＥＳ）、音量レベルリファレンス情報に基づいて、現在の音量レベルに差分を加える（あるいは減じる）ゲイン調節を行う制御信号をアンプ部２４に送信する（ステップＳ２０５）。
【００４０】
また、音声データの、実データ部（曲等の部分のデータ）について復調を行い、復調後の音声データを音声処理部２３に送信する。音声処理部２３で、送信されたデジタルの音声データからアナログの音声信号を生成し、その後、アンプ部２４にする。
【００４１】
アンプ部２４は、ステップＳ２０５でＣＰＵ２０から送信された制御信号に基づいて現在の音量レベルに差分を加える（あるいは減じる）ゲイン調節を行い、アナログの音声信号の増幅率を変更する（ステップＳ２０６）。その後、イヤホン２７Ｒ及び２７Ｒにアナログ信号を送信し音声信号の出力を行う（ステップＳ２０７）。
【００４２】
なお、ステップＳ２０４で音声レベルリファレンス情報が記録されていないと判断する場合は（ステップＳ２０４：ＮＯ）、音声レベルリファレンス処理を終了する。
【００４３】
以上、本発明を適用した音声再生システムによれば、録音レベルの異なる音声データの音量レベルを自動的に均一化することができ、曲が変わるごとに音量を調節する手間が省け好適な音声再生を行うことができる。また、自動的に音量レベルの均一化を調整するため、ＰＣ操作に不慣れであっても手軽に音量レベルが均一化された音声データを連続して聴くことができる。
【００４４】
特に、音声レベル調節処理は、ＰＣ１からポータブル記録再生装置１１に音声データを転送する際に行われる。このため、ＰＣ１に記録されている音声データの録音レベルは変更されることが無い。この点、ＣＤ−ＤＡ等の外部記録媒体からＰＣ１にリッピングを行ったり、音楽配信サーバ７３からダウンロードを行ったりする際に音量レベルの均一化処理を行いＰＣ１の記録媒体８に保存する技術と異なり、オリジナルの録音レベル状態の音声データをＰＣ１に保存しつつ、ポータブル記録再生装置１１等の外部記録媒体にデータ転送を行う際には、音量レベルが均一化された音声データを転送することができるという特徴がある。即ち、曲毎に録音レベルの異同が生ずるのは、夫々の曲が作製（記録）されたハードウェア、ソフトウェア及び編集者の嗜好や表現手法等の歴史的、技能的沿革により生ずるものである。したがって、資料としての側面から敢えて録音レベルの異なるオリジナルの音声データを保存しつづける必要がある。
【００４５】
一方、ポータブル記録再生装置１１のように音声出力をイヤホンで行う場合、音量調節の操作を比較的慎重に行う必要がある。即ち、スピーカであるイヤホンが耳に直接的に装着されるため、操作の誤りにより過剰に音量を上げてしまうと鼓膜を傷める虞がある。一般にユーザは、このようなイヤホンを使用する場合の音量調節の危険を経験的に知っているため、音量調節操作に注意が取られる。このため、音量調節を行っている間に再生出力されている部分（通常、曲の出だし部分）を落ち着いて聴くことができない。従って、最初に調節を行えば、後に続く曲の音量に特段気を取られることなく音楽鑑賞を行えるようにする必要もある。
【００４６】
本発明を適用した音声記録再生システムは、このような二律背反する事情を解決することができる。曲の旋律のみならず、録音レベルの異同から推し量ることができる資料的な価値を損なうことなく、外部記録媒体としてのポータブル記録再生装置１１に音量レベルの均一化した音声再生を行わせることができるという特有の効果を奏する。
【００４７】
以上、本発明を実施するための最良の形態について説明したが、本発明は上述した種々の例に限定されるものではない。
【図面の簡単な説明】
【００４８】
【図１】本発明を実施するための最良の形態におけるＰＣ及びポータブル記録再生装置からなる音声再生システムの構成を示した概要図である。
【図２】図１に示すＰＣの構成を表したブロック図である。
【図３】図１に示すポータブル記録再生装置の構成を表したブロック図である。
【図４】図１に示すＰＣにおける音量レベル調節処理の手順を示したフロー図である。
【図５】図１に示すポータブル記録再生装置の音量レベルリファレンス処理の手順を示したフロー図である。
【図６】図１に示すＰＣのモニタ上に、音声データの転送処理を行う際に表示される転送編集ウィンドウの例を示した模式図である。
【符号の説明】
【００４９】
１  ＰＣ
２  制御部
３  ＲＯＭ
４  ＲＡＭ
５  ネットワークＩ／Ｆ
６  ポータブル記録再生装置用Ｉ／Ｆ
７  外部記録媒体入力部
８  記録媒体
９  表示部
１０  操作部
１１  ポータブル記録再生装置
１２  制御ユニット
１３  記憶媒体
１４  表示部
１５  操作部
１６  外部Ｉ／Ｆ
１７  メインバス
１８  電源
２０  ＣＰＵ
２１  ＲＯＭ
２２  ＲＡＭ
２３  音声処理部
２４  アンプ部
２５  割込みコントローラ
２７Ｒ、２７Ｌ  イヤホン
３０  電源／メニューキー
３１  上キー
３２  左キー
３３  下キー
３４  右キー
３５  決定キー
３６  Ｖｏｌｕｍｅ  Ｕｐキー
３７  Ｖｏｌｕｍｅ  Ｄｏｗｎキー
４０  転送編集ウィンドウ
４１  ツリーリスト
４２  ファイルリスト
４３  転送開始ボタン
４４  ポインタ
４６  アーティストＡフォルダ
７０  ＵＳＢケーブル
７１  ＣＤ−ＤＡ
７２  ネットワーク
７３  音楽配信サーバ
【図１】
2007180799.tif 000003
【図２】
2007180799.tif 000004
【図３】
2007180799.tif 000005
【図４】
2007180799.tif 000006
【図５】
2007180799.tif 000007
【図６】
2007180799.tif 000008